(57)【要約】　　　（修正有）【課題】金属製の転動体手段を備えた金属製のケーブルタイにおいて、その強度を高める。【解決手段】金属製のケーブルタイ２２は、金属製のストラップ２８と金属製のロック用ヘッド２４と金属製の転動体手段とを備えたものである。ヘッド２４はストラップの第１端２６に取り付けられ、ストラップの第２端３０がこのヘッドに挿通される。ヘッド２４はストラップ引出端へ向かって次第に拡がる形状のフロア部５４及びルーフ部４０を有する。ヘッドには複数の強度補強用の窪み部３６が形成されている。金属製の転動体手段は、ストラップと係合してロック状態を発生させるものであり、ヘッドの内部に設けられた保持手段である突起５６により捕捉保持される。ストラップの第１端２８には複数のリブ３８が形成されており、荷重にたいする耐力を向上させている。【選択図】図２
2004131182.tif 000002
【特許請求の範囲】
【請求項１】
　ケーブルタイにおいて、
　細長い金属製のストラップと、該ストラップの第１端に取り付けられ、該第１端と反対側の端部である前記ストラップの第２端が挿通される金属製のロック用ヘッドと、前記ストラップと係合してロック状態を発生させる金属製の転動体手段とを備えており、
　前記ヘッドは、ストラップ挿入端と、ストラップ引出端と、それらの間を延在しているストラップ挿通開口とを有し、前記ヘッドは更に、前記ストラップ引出端へ向かって次第に拡がる形状のフロア部及びルーフ部を有し、
　前記ヘッドには、該ヘッドの第１側部に少なくとも１つの窪み部が形成され、また、該ヘッドの第２側部に少なくとも１つの窪み部が形成されており、
　前記ヘッドは、前記転動体手段を該ヘッドの内部に捕捉保持するための前記ストラップ引出端の近傍に設けられた保持手段を有し、
　前記転動体手段は、前記ストラップ引出端及び前記保持手段に近接した位置であるストラップ挿通許容位置と、それよりも前記ストラップ挿入端に近付いた位置であるロック位置との間で移動可能である、
　ことを特徴とするケーブルタイ。
【請求項２】
　前記ヘッドは、該ヘッドの前記第１側部に２つの窪み部が形成され、また、該ヘッドの前記第２側部に２つの窪み部が形成されていることを特徴とする請求項１記載のケーブルタイ。
【請求項３】
　前記ヘッドは、前記ストラップ挿入端に挿入案内部が形成されていることを特徴とする請求項１記載のケーブルタイ。
【請求項４】
　前記ストラップは、その表面にコーティングが施されていることを特徴とする請求項１記載のケーブルタイ。
【請求項５】
　前記転動体手段が、ボールから成ることを特徴とする請求項１記載のケーブルタイ。
【請求項６】
　前記保持手段が、前記ストラップ引出端の近傍において前記ルーフ部から突出した突起から成ることを特徴とする請求項１記載のケーブルタイ。
【請求項７】
　ケーブルタイにおいて、
　細長い金属製のストラップと、該ストラップの第１端に取り付けられ、該第１端と反対側の端部である前記ストラップの第２端が挿通される金属製のロック用ヘッドと、前記ストラップと係合してロック状態を発生させる金属製の転動体手段とを備えており、
　前記ヘッドは、ストラップ挿入端と、ストラップ引出端と、それらの間を延在しているストラップ挿通開口とを有し、前記ヘッドは更に、前記ストラップ引出端へ向かって次第に拡がる形状のフロア部及びルーフ部を有し、
　前記ヘッドは、前記転動体手段を該ヘッドの内部に捕捉保持するための前記ストラップ引出端の近傍に設けられた保持手段を有し、
　前記転動体手段は、前記ストラップ引出端及び前記保持手段に近接した位置であるストラップ挿通許容位置と、それよりも前記ストラップ挿入端に近付いた位置であるロック位置との間で移動可能であり、
　前記ストラップの前記第１端には、前記ヘッドに近接した位置に少なくとも１つのリブが形成されている、
　ことを特徴とするケーブルタイ。
【請求項８】
　前記ストラップの前記第１端には、前記ヘッドに近接した位置に２つのリブが形成されていることを特徴とする請求項７記載のケーブルタイ。
【請求項９】
　前記ヘッドは、前記ストラップ挿入端に挿入案内部が形成されていることを特徴とする請求項７記載のケーブルタイ。
【請求項１０】
　前記ストラップは、その表面にコーティングが施されていることを特徴とする請求項７記載のケーブルタイ。
【請求項１１】
　前記転動体手段が、ボールから成ることを特徴とする請求項７記載のケーブルタイ。
【請求項１２】
　前記保持手段が、前記ストラップ引出端の近傍において前記ルーフ部から突出した突起から成ることを特徴とする請求項７記載のケーブルタイ。
【請求項１３】
　ケーブルタイにおいて、
　細長い金属製のストラップと、該ストラップの第１端に取り付けられ、該第１端と反対側の端部である前記ストラップの第２端が挿通される金属製のロック用ヘッドと、前記ストラップと係合してロック状態を発生させる金属製の転動体手段とを備えており、
　前記ヘッドは、ストラップ挿入端と、ストラップ引出端と、それらの間を延在しているストラップ挿通開口とを有し、前記ヘッドは更に、前記ストラップ引出端へ向かって次第に拡がる形状のフロア部及びルーフ部を有し、
　前記ヘッドには、該ヘッドの第１側部に少なくとも１つの窪み部が形成され、また、該ヘッドの第２側部に少なくとも１つの窪み部が形成されており、
　前記ヘッドは、前記転動体手段を該ヘッドの内部に捕捉保持するための前記ストラップ引出端の近傍に設けられた保持手段を有し、
　前記転動体手段は、前記ストラップ引出端及び前記保持手段に近接した位置であるストラップ挿通許容位置と、それよりも前記ストラップ挿入端に近付いた位置であるロック位置との間で移動可能であり、
　前記ストラップの前記第１端には、前記ヘッドに近接した位置に少なくとも１つのリブが形成されている、
　ことを特徴とするケーブルタイ。
【請求項１４】
　前記ヘッドには、該ヘッドの前記第１側部に２つの窪み部が形成され、また、該ヘッドの前記第２側部に２つの窪み部が形成されていることを特徴とする請求項１３記載のケーブルタイ。
【請求項１５】
　前記ストラップの前記第１端には、前記ヘッドに近接した位置に２つのリブが形成されていることを特徴とする請求項１３記載のケーブルタイ。
【請求項１６】
　前記ヘッドは、前記ストラップ挿入端に挿入案内部が形成されていることを特徴とする請求項１３記載のケーブルタイ。
【請求項１７】
　前記ストラップは、その表面にコーティングが施されていることを特徴とする請求項１３記載のケーブルタイ。
【請求項１８】
　前記転動体手段が、ボールから成ることを特徴とする請求項１３記載のケーブルタイ。
【請求項１９】
　前記保持手段が、前記ストラップ引出端の近傍において前記ルーフ部から突出した突起から成ることを特徴とする請求項１３記載のケーブルタイ。
【発明の詳細な説明】
【技術分野】
【０００１】
　本発明はケーブルタイに関し、より詳しくは、ロック機構として転動体手段を用いた、３個の部品から成る金属製のケーブルタイに関するものである。
【背景技術】
【０００２】
　ボールやローラピンなどをロック部材として使用した金属製の結束具は、既に１９世紀から、綿花の梱包などを結束するために用いられていた。しかしながら、従来のこの種の結束具では、ロック状態が確実に得られないことがあった。即ち、ロック用ヘッドの姿勢によっては、ロック部材としてのボールが、重力によって、ストラップと係合してロック状態を発生させることのできない位置にとどめられてしまい、そのために、ストラップを締め付けることができないことがあった。この問題を解決することを目的としたものに、米国特許第４３９９５９２号がある。同米国特許は突起を付加することを教示しており、その突起は、ロック用ヘッドの一端から挿入して他端から延出させるストラップを、ロック用ヘッドから延出する直前の箇所で、ロック用ヘッドのフロア部から離れる方向へ反らせるようにするものである。このようにストラップを反らせることによって、ロック部材であるボールがロック用ヘッド内のどの位置にあっても、また、ロック用ヘッドがどのような姿勢にあっても、そのロック用ヘッドに挿通されているストラップに、ロック部材であるボールを常に接触させておくことができるようにしているのである。
【特許文献１】米国特許第４３９９５９２号公報
【発明の開示】
【発明が解決しようとする課題】
【０００３】
　ただし、斯かるケーブルタイの引張強度を更に高めることが望まれている。
　また、斯かるケーブルタイのロック用ヘッドの側部に補強用の変形加工部を形成してロック用ヘッドの強度を高めることが望まれている。
【０００４】
　また、斯かるケーブルタイのストラップの折返し部に補強用のリブを形成して折返し部の強度を高めることが望まれている。
【課題を解決するための手段】
【０００５】
　ここに開示する金属製のケーブルタイは、細長い金属製のストラップと、金属製のロック用ヘッドと、金属製の転動体手段とを備えたものである。ストラップは、第１端と、この第１端の反対側の第２端とを有する。ヘッドは、ストラップの第１端に取り付けられ、ストラップの第２端がこのヘッドに挿通される。ヘッドは、ストラップ挿入端と、ストラップ引出端と、それらの間を延在しているストラップ挿通開口とを有する。ヘッドは更に、ストラップ引出端へ向かって次第に拡がる形状のフロア部及びルーフ部を有する。ヘッドには、このヘッドの第１側部に少なくとも１つの窪み部が形成されており、また、このヘッドの第２側部に少なくとも１つの窪み部が形成されている。金属製の転動体手段は、ストラップと係合してロック状態を発生させるものであり、ヘッドは、この転動体手段をヘッドの内部に捕捉保持するための、ストラップ引出端の近傍に設けられた保持手段を有する。転動体手段は、ストラップ引出端及び保持手段に近接した位置であるストラップ挿通許容位置と、それよりもストラップ挿入端に近付いた位置であるロック位置との間で移動可能である。ストラップの第１端には、ヘッドに近接した位置に少なくとも１つのリブが形成されている。
【０００６】
　前記ヘッドには、該ヘッドの前記第１側部に２つの窪み部が形成され、また、該ヘッドの前記第２側部に２つの窪み部が形成されているようにすることが好ましい。
　前記ストラップの前記第１端には、前記ヘッドに近接した位置に２つのリブが形成されているようにすることが好ましい。
【０００７】
　前記ヘッドは、前記ストラップ挿入端に挿入案内部が形成されているものとすることが好ましい。
　前記ストラップは、その表面にコーティングが施されているものとすることが、好ましい。
【０００８】
　前記転動体手段は、ボールから成るものとすることが好ましい。
　前記保持手段は、前記ストラップ引出端の近傍において前記ルーフ部から突出した突起から成るものとすることが好ましい。
【発明を実施するための最良の形態】
【０００９】
　図示した本発明の実施の形態は、ロック機構として転動体手段を用いた、３個の部品から成るケーブルタイとして構成したものである。
　添付図面において、図１に参照符号２２でその全体を指し示しているのは、例えば配線ワイヤ２０などの細長い物品を複数本結束し、それら物品をまとめて保持するためのケーブルタイである。ケーブルタイ２２は、ロック用ヘッド２４を備えている。このロック用ヘッド２４は、細長いストラップ２８の第１端２６に取り付けられ、このロック用ヘッド２４に、ストラップ２８の第２端３０が挿通される。ケーブルタイ２２は更に、転動体手段を備えている。この転動体手段は、ボール即ち球体３２の形に形成されており、図９〜図１４から明らかなように、ストラップ２８をロック用ヘッド２４の内部において係止する機能を果たすものである。以上の、ボール、ヘッド、及びストラップは、ステンレス鋼製とすることが好ましく、そうすることによって、ストラップの使用可能温度領域を幅広いものとすることができ、また、ケーブルタイを、大きな強度と優れた耐蝕性とを備えたものとすることができる。更に、従来行われていたように、ストラップ２８の表面にコーティングを施すようにしてもよい。
【００１０】
　本発明に係るケーブルタイは、図２〜図５に示したロック用ヘッド２４と、ストラップ２８と、引掛部３４とを組付けることによって形成され、引掛部３４は、図６及び図７に示すようにストラップ２８に一体に形成されている。図８から明らかなように、ロック用ヘッド２４は、図中に３６で示したように、複数の補強用の窪み部即ち変形加工部を備えており、それら複数の変形加工部３６は、ロック用ヘッド２４の両側の側部に形成されている。更に、ストラップ２８は、図中に３８で示したように、複数の補強用のリブを備えており、それら複数のリブ３８は、ストラップ２８の第１端２６の近傍に形成され、このストラップ２８の折返し部の背面側（屈曲させた外面側）へ膨出するように形成されている。補強用の変形加工部３６及びリブ３８は、夫々、ロック用ヘッド２４及び折返し部の強度を高めており、またそれによって、特にロック用ヘッド２４が何にも支持されていない状態にあるときに問題となる、ロック用ヘッド２４及び折返し部をひろげるように変形させようとする荷重に対する耐力が向上している。またその結果、ケーブルタイ２２の引張強度が高められている。
【００１１】
　図９〜図１４に示すように、ロック用ヘッド２４は、ルーフ部４０と、天井部４２と、底壁部４４とを備えており、天井部４２と底壁部４４とは、一対の側壁部４６を介して互いに接続している。また、図１０〜図１３に示すように、ロック用ヘッド２４は、ストラップ挿入端４８と、ストラップ引出端５０と、それらの間を延在しているストラップ挿通開口５２とを有する。ルーフ部４０及びフロア部５４は、ストラップ引出端５０へ向かって次第に拡がる形状に形成されている。
【００１２】
　ボール３２は、その表面に粗面処理を施してあり、この粗面処理によって、ストラップ２８との接触箇所における摩擦係数を増大させている。図１１及び図１２から明らかなように、ボール３２は、保持手段によって、ルーフ部４０とフロア部５４との間に捕捉保持されており、この保持手段は、ストラップ引出端５０の近傍においてルーフ部４０からフロア部５４へ向かって突出した突起５６から成る。ルーフ部４０の一端は、ストラップ挿入端４８の近傍において天井部４２に接続しており、また、ルーフ部４０のその他の部分は、互いの間に間隔を開けて形成した一対の翼状部５８を介して天井部４２に接続している。
【００１３】
　ロック部材であるボール３２は、ストラップ引出端５０に近接した位置であり突起５６と当接する位置である図１２に示したストラップ挿通許容位置と、それよりもストラップ挿入端４８に近付いた位置であり挿通されているストラップ２８にしっかりと係合する位置である図１３に示したロック位置との間で移動可能である。ボール３２は、ストラップ挿通許容位置にあるときには、突起５６とルーフ部４０との両方に当接している。また、ボール３２がロック位置にあるときには、そのボール３２とフロア部５４との間に、ストラップ２８が挟圧保持されている。
【００１４】
　図１０〜図１３に示すように、ロック用ヘッド２４は、そのストラップ挿入端４８に挿入案内部６０が形成されている。この挿入案内部６０は、ストラップの先端６２を最初にロック用ヘッド２４に挿入する際に、その挿入を容易に行えるようにするものであり、それによって、ストラップの挿入を伴うケーブルタイ２２の装着作業に費やされる作業時間を短縮するものである。更に、この挿入案内部６０を形成したことによって、ロック用ヘッド２４の上面部分の強度も向上している。ストラップ２８は、ストラップ挿入端４８に挿入されるときに、この挿入案内部６０に当接することによって、フロア部５４へ近付く方向へ誘導される。
【００１５】
　使用法について説明すると、先ず、結束して保持しようとする物品の周囲にストラップ２８を巻回し、その先端６２をロック用ヘッド２４に挿入する。そのままストラップ２８を更に挿入して行けば、そのときロック用ヘッド２４がいかなる姿勢とされているかにかかわらず、ストラップ２８とボール３２とが確実に係合する。更に、ストラップ２８を一旦引き締めてから、その引き締めた手を離すと、ロック部材であるボール３２が図１３に示したロック位置へ移動し、それによってストラップ２８が、ボール３２とフロア部５４との間に挟圧保持された状態となる。
【００１６】
　以上に開示したように、本発明は、ロック機構として転動体手段を用いたケーブルタイを提供するものである。ただし、図面に示し、以上に説明した、具体例ないし好適例としての本発明の幾つかの実施の形態は、本発明に従ってこの種のケーブルタイを形成する際に、そのケーブルタイが取り得る全ての形態を網羅したものではない。むしろ、それら実施の形態は、現時点で把握されている本発明の様々な実施の形態のうちの、ほんの代表例を例示したに過ぎない。例えば、ケーブルタイのロック用ヘッドの両側の側部に形成する補強用の変形加工部の個数を、各側に３個ずつ、または以上としたものも、本発明の範囲に包含されると考えられる。また更に、本発明の実施の形態として、その他の多数の形態が存在するものと考えられる。
【図面の簡単な説明】
【００１７】
【図１】配線ワイヤを結束した状態を示した、本発明に係る金属製のケーブルタイの斜視図である。
【図２】図１のケーブルタイを斜め上方から見た斜視図である。
【図３】図１のケーブルタイの上面図である。
【図４】図１のケーブルタイの側面図である。
【図５】図１のケーブルタイの端面図である。
【図６】ストラップの部分をロック用ヘッドから取外した状態を示した、図２の部分的分解図である。
【図７】ストラップのうちのヘッドに係合する部分を示した、斜め下方から見た斜視図である。
【図８】図４の８−８線に沿った断面図である。
【図９】図４の９−９線に沿った断面図である。
【図１０】図３の１０−１０線に沿った断面図である。
【図１１】図５の１１−１１線に沿った断面図である。
【図１２】ロック部材であるボールがストラップ挿通許容位置にある状態を示した、ストラップ及びロック用ヘッドの断面図である。
【図１３】ロック部材であるボールがロック位置にある状態を示した、ストラップ及びロック用ヘッドの断面図である。
【図１４】図１３の１４−１４線に沿った断面図である。
【図１】
2004131182.tif 000003
【図２】
2004131182.tif 000004
【図３】
2004131182.tif 000005
【図４】
2004131182.tif 000006
【図５】
2004131182.tif 000007
【図６】
2004131182.tif 000008
【図７】
2004131182.tif 000009
【図８】
2004131182.tif 000010
【図９】
2004131182.tif 000011
【図１０】
2004131182.tif 000012
【図１１】
2004131182.tif 000013
【図１２】
2004131182.tif 000014
【図１３】
2004131182.tif 000015
【図１４】
2004131182.tif 000016
【外国語明細書】
2004131182000001.pdf